(57)【要約】      （修正有）【課題】変形自在で断熱性能の高い断熱部材及び断熱部材の製造方法を提供する。【解決手段】断熱部材１０は、少なくとも一辺が直線状に形成された芯材１２と、芯材の周囲を包装する包装材１４と、を有し、芯材は、直線状の一辺に対して斜めに形成された切り込み１６を有する。さらに、断熱部材は、芯材の周囲が真空であるように包装する。【選択図】図３
2015218863.tif 000002
【特許請求の範囲】
【請求項１】
少なくとも一辺が直線状に形成された芯材と、
前記芯材の周囲を包装する包装材と、を有し、
前記芯材は、前記直線状の一辺に対して斜めに形成された切り込みを有する断熱部材。
【請求項２】
前記断熱部材は、前記芯材の周囲が真空であるように包装する請求項１記載の断熱部材。
【請求項３】
前記芯材は、前記直線状の一辺に対して第１の方向と第２の方向に斜めに形成された切り込みを有し、前記第１の方向に形成された切り込みは、前記第２の方向に形成された切り込みと交差している請求項１又は２に記載の断熱部材。
【請求項４】
前記芯材は、繊維材料から構成されている請求項１乃至３いずれかに記載の断熱部材。
【請求項５】
少なくとも一辺が直線状に形成された芯材の表面に、前記直線状の一辺に対して斜めに切り込みを形成する工程と、
前記切り込みが形成された前記芯材の周囲を包装材で包装する工程と、
を有する断熱部材の製造方法。
【請求項６】
前記芯材の周囲を包装材で包装する工程では、前記芯材の周囲が真空であるように包装する請求項５記載の断熱部材の製造方法。
【発明の詳細な説明】
【技術分野】
【０００１】
本発明は、断熱部材及び断熱部材の製造方法に関する。
【背景技術】
【０００２】
近年、冷蔵庫や自動販売機等の側壁を囲う断熱箱体の断熱部材として真空断熱材（ＶＩＰ：Ｖａｃｕｕｍ  Ｉｎｓｕｌａｔｉｏｎ  Ｐａｎｅｌ）が用いられ、断熱性能の向上を図っている。真空断熱材は、ウレタンの１０分の１程の厚さで同一の断熱性能を有するものである。
【０００３】
特許文献１は、外被材４の内部に芯材１が真空封入された真空断熱材であって、この芯材１の表面に溝２が平行に複数本設けられた構成を開示する。
また、特許文献２は、第１の芯材と第２の芯材とを含む芯材を用いて、第１の芯材と第２の芯材とを含む厚層部と、第１の芯材を含みかつ厚層部よりも厚さが薄い薄層部とを形成する構成を開示する。
また、特許文献３は、連通する気孔を備えた多孔体である芯材３の表面に、内部に向かって切り込まれた切断部９を設ける工程と、芯材３を切断部９を開放した状態に保持して包装材２の内部に挿入する工程と、包装材２の内部を真空に保持する工程と、包装材２を密封する工程とを、備えた真空断熱パネル１の製造方法を開示する。
【先行技術文献】
【特許文献】
【０００４】
【特許文献１】特開２０００−２４９２９０号公報
【特許文献２】特開２００８−１５７４３１号公報
【特許文献３】特開２０００−２８３６４３号公報
【発明の概要】
【発明が解決しようとする課題】
【０００５】
しかしながら、冷蔵庫や自動販売機やエコキュート（登録商標）等の断熱箱体の設置スペースを縮小し、断熱箱内の容量を大きくするために、断熱箱体の壁厚を薄くする必要がある。また、断熱箱の形状は多種多様であり、断熱箱の形状に沿って変形する断熱部材を用いることは、断熱性能を高めて省エネルギー化を図ることになる。
【０００６】
本発明は、変形自在で断熱性能の高い断熱部材及び断熱部材の製造方法を提供することを目的とする。
【課題を解決するための手段】
【０００７】
本発明の一つの態様は断熱部材にあり、この断熱部材は、少なくとも一辺が直線状に形成された芯材と、前記芯材の周囲を包装する包装材と、を有し、前記芯材は、前記直線状の一辺に対して斜めに形成された切り込みを有する。
【０００８】
好適には、前記断熱部材は、前記芯材の周囲が真空であるように包装する。
【０００９】
好適には、前記芯材は、前記直線状の一辺に対して第１の方向と第２の方向に斜めに形成された切り込みを有し、前記第１の方向に形成された切り込みは、前記第２の方向に形成された切り込みと交差している。
【００１０】
好適には、前記芯材は、繊維材料から構成されている。
【００１１】
本発明の他の態様は、断熱部材の製造方法にあり、この断熱部材の製造方法は、少なくとも一辺が直線状に形成された芯材の表面に、前記直線状の一辺に対して斜めに切り込みを形成する工程と、前記切り込みが形成された前記芯材の周囲を包装材で包装する工程と、を有する。
【００１２】
好適には、前記芯材の周囲を包装材で包装する工程では、前記芯材の周囲が真空であるように包装する。
【発明の効果】
【００１３】
本発明によれば、変形自在で断熱性能の高い断熱部材及び断熱部材の製造方法を提供することができる。
【図面の簡単な説明】
【００１４】
【図１】本発明の一実施形態に係る断熱部材を示す上面図である。
【図２】本発明の一実施形態に係る断熱部材を示す断面図である。
【図３】本発明の一実施形態に係る断熱部材の製造方法を示す図である。
【図４】本発明の一実施形態に係る断熱部材を示す図である。
【図５】本発明の一実施形態に係る断熱部材を用いた例を示す図である。
【図６】本発明の他の実施形態に係る断熱部材を示す図である。
【発明を実施するための形態】
【００１５】
以下、本発明の実施の形態を添付図面を参照して説明する。
図１は、本発明の一実施形態に係る断熱部材１０を示す上面図であり、図２は、図１の断熱部材１０を示す断面図である。
【００１６】
断熱部材１０は、芯材１２と、芯材１２を内包するガスバリア製の包装材１４と、を有する。
【００１７】
芯材１２は、繊維材料から構成され、例えばグラスウールやグラスペーパーやグラスティッシュ等をシート状に成型したものが用いられる。
【００１８】
芯材１２は、例えば方形状であって、芯材１２の表面には、切り込み１６が複数形成されている。切り込み１６は、芯材１２の一辺に対して第１の方向と第２の方向に斜めに複数形成され、この第１の方向に形成された切り込み１６と、第２の方向に形成された切り込み１６とが、交差して形成される。交差する鋭角の角度θは、例えば６０度である。また、切り込み１６のピッチＰは、例えば３０ｍｍ程度である。
【００１９】
包装材１４は、袋状であって、例えばガスバリア製のラミネートフィルムが用いられる。
【００２０】
次に、本発明の一実施形態に係る断熱部材１０の製造方法について図３を参照して説明する。図３（ａ）の左図は、芯材１２の上面図であって、右図は、芯材１２の断面図である。また、図３（ｂ）の左図は、断熱部材１０の上面図であって、右図は、断熱部材１０の断面図である。
【００２１】
まず、よく乾燥させた芯材１２の表面に切り込み１６を形成する。芯材１２として、例えば肉厚Ｔ1が２５ｍｍのものが用いられ、切り込み１６の深さＤは、例えば１５ｍｍ程度である。ここで、切り込み１６の深さＤは、芯材１２の肉厚Ｔ1の３分の２程度が好ましい。切り込み１６は、芯材１２の一辺に対して第１の方向と第２の方向に斜めに複数形成され、この第１の方向に形成された切り込み１６と、第２の方向に形成された切り込み１６とが、例えば６０度交差して形成される（図３（ａ）参照）。また、第１の方向と第２の方向の切り込み１６間のピッチＰは、それぞれ例えば３０ｍｍ程度である。
【００２２】
次に、この芯材１２の周囲を包装材１４で包装する。ここで、この包装材１４の開口部より包装材１４内を真空排気して、包装材１４同士を熱溶着させ、周囲にシール部１８を形成することにより、断熱部材１０は、真空断熱材として用いられる（図３（ｂ）参照）。断熱部材１０の肉厚Ｔ2は、例えば１２ｍｍ程度である。
【００２３】
図４は、本発明の実施形態に係る断熱部材１０を示す図である。
図４に示されているように、断熱部材１０は多方向に種々変形して曲げることができる。
【００２４】
図５は、本発明の実施形態に係る断熱部材１０の周囲（シール部１８）を折り込んで、角筒状の断熱箱２０に用いた例を示す。
【００２５】
図５に示されているように、断熱部材１０は、断熱箱２０の形状に応じて変形自在に曲げることができる。すなわち、断熱箱２０の設置スペースを縮小し、断熱箱２０内の容量を大きくしつつ、断熱性能を高めて省エネルギー化を図ることができる。
【００２６】
なお、図５では、断熱部材１０を角筒状の断熱箱２０に用いる例について説明したが、これに限らず、円筒状の断熱箱や、断熱箱の中に機材や配管等が収納されているような場合であっても用いることができる。すなわち、断熱箱の形状や断熱箱内部の機材や配管等の配置に応じて変形して収納することができる。
【００２７】
図６は、本発明の他の実施形態に係る断熱部材１０を示す図である。
【００２８】
図６に示されているように、断熱部材１０を変形させる部分にのみ切り込み１６を形成してもよい。これにより、作業時間を低減でき、また、切り込み１６形成時の集塵量を低減でき、切り込みを形成する例えば刃物の摩耗を削減でき、作業性を向上させることができる。
【００２９】
本実施形態において、芯材１２の表面に切り込み１６を形成する例について説明したが、これに限らず、切り込み１６の代わりにスリットを形成するようにしてもよい。
【００３０】
すなわち、本実施形態に係る断熱部材は、任意の位置、方向に変形自在であり、円筒状、角筒状、コの字状等の自由な形状を保持できる。また、製造が容易で、断熱箱の形状にあわせて、製造する必要がなく、汎用性が高い。さらに、本実施形態に係る断熱部材を用いることにより、断熱箱内の断熱性能を向上させることができる。
【００３１】
本発明は、冷蔵庫や自動販売機の他、ショーケース冷凍庫、建材外壁、エコキュート（登録商標）等の高い断熱性を必要とされる断熱箱体に用いることができる。
【符号の説明】
【００３２】
１０  断熱部材
１２  芯材
１４  包装材
１６  切り込み
１８  シール部
２０  断熱箱
【図１】
2015218863.tif 000003
【図２】
2015218863.tif 000004
【図３】
2015218863.tif 000005
【図４】
2015218863.tif 000006
【図５】
2015218863.tif 000007
【図６】
2015218863.tif 000008